(57)【要約】【課題】受信信号を処理する受信機において、妨害波等の不要信号による感度抑圧を効果的に低減する。【解決手段】第１のフィルタ手段１がアナログ信号の受信信号をフィルタリングし、第１の増幅手段２が第１のフィルタ手段によりフィルタリングされたアナログ信号を可変な利得で増幅し、Ａ／Ｄ変換手段３が第１の増幅手段により増幅されたアナログ信号をディジタル信号へ変換し、第２のフィルタ手段５がＡ／Ｄ変換手段により変換されたディジタル信号をフィルタリングし、復調手段６が第２のフィルタ手段によりフィルタリングされたディジタル信号を復調し、第２の増幅手段７が復調手段により復調されたディジタル信号を可変な利得で増幅する。【選択図】  図１
2008271288.tif 000002
【特許請求の範囲】
【請求項１】
受信信号を処理する受信機において、
アナログ信号の受信信号をフィルタリングする第１のフィルタ手段と、
前記第１のフィルタ手段によりフィルタリングされたアナログ信号を可変な利得で増幅する第１の増幅手段と、
前記第１の増幅手段により増幅されたアナログ信号をディジタル信号へ変換するＡ／Ｄ変換手段と、
前記Ａ／Ｄ変換手段により変換されたディジタル信号をフィルタリングする第２のフィルタ手段と、
前記第２のフィルタ手段によりフィルタリングされたディジタル信号を復調する復調手段と、
前記復調手段により復調されたディジタル信号を可変な利得で増幅する第２の増幅手段と、
を備えたことを特徴とする受信機。
【発明の詳細な説明】
【技術分野】
【０００１】
本発明は、受信機に関し、特に、妨害波等の不要信号による感度抑圧を効果的に低減する受信機に関する。
【背景技術】
【０００２】
例えば、ＳＳＢ（Ｓｉｎｇｌｅ  Ｓｉｄｅ  Ｂａｎｄ）無線受信機では、ＳＳＢ変調された高周波信号を受信し、受信信号を復調してオーディオ信号を出力することが行われている。
図２には、ＳＳＢ無線受信機の構成例を示してある。なお、図２では、後述する本発明の実施例で参照する図１に示されるのと同様な構成部については同一の符号を付して示してあるが、ここでは、本発明を不要に限定する意図は無い。
【０００３】
本例のＳＳＢ無線受信機は、アナログ回路として、中間周波数（ＩＦ：Ｉｎｔｅｒｍｅｄｉａｔｅ  Ｆｒｅｑｕｅｎｃｙ）の帯域通過フィルタ（ＢＰＦ：Ｂａｎｄ  Ｐａｓｓ  Ｆｉｌｔｅｒ）１と、可変利得増幅器（ＶＧＡ：Ｖａｒｉａｂｌｅ  Ｇａｉｎ  Ａｍｐｌｉｆｉｅｒ）２を備えており、アナログ信号をディジタル信号へ変換する回路としてＡ／Ｄ変換器（Ａｎａｌｏｇ  ｔｏ  Ｄｉｇｉｔａｌ  Ｃｏｎｖｅｒｔｅｒ）３を備えており、ディジタル回路として、検波器４と、復調回路（ＤＥＭ：Ｄｅｍｏｄｕｌａｔｏｒ）６と、可聴周波（ＡＦ：Ａｕｄｉｏ  Ｆｒｅｑｕｅｎｃｙ）の帯域通過フィルタ（ＢＰＦ）８を備えており、ディジタル信号をアナログ信号へ変換する回路としてＤ／Ａ変換器（Ｄｉｇｉｔａｌ  ｔｏ  Ａｎａｌｏｇ  Ｃｏｎｖｅｒｔｅｒ）９を備えている。
【０００４】
本例のＳＳＢ無線受信機において行われる動作の一例を示す。
まず、アンテナ（図示せず）により受信された高周波信号が周波数変換器（図示せず）により中間周波数（ＩＦ）の信号へ変換されて、ＩＦ  ＢＰＦ１に入力される。
ＩＦ  ＢＰＦ１は、ハードウェアで構成されており、入力された中間周波数信号に対して受信帯域制限を行って、所望の高周波信号とあわせて受信された妨害波等の不要信号を十分に減衰（除去）し、このフィルタリング後の信号をＶＧＡ２へ出力する。
【０００５】
ＶＧＡ２は、検波器４から入力される利得制御信号により可変に制御される利得で、ＩＦ  ＢＰＦ１から入力された受信中間周波数信号を増幅することにより受信信号のレベル調整を行い、このレベル調整後の信号をＡ／Ｄ変換器３へ出力する。
Ａ／Ｄ変換器３は、ＶＧＡ２から入力された受信中間周波数信号をアナログ信号からディジタル信号へ変換して、検波器４及び復調回路６へ出力する。
検波器４は、Ａ／Ｄ変換器３から入力された信号を検波して当該信号のレベルを検出し、この検出結果に基づく利得制御信号をＶＧＡ２へ出力してＶＧＡ２の利得（Ｇａｉｎ）を制御する。
【０００６】
復調回路６は、ソフトウェアを用いて構成されており、Ａ／Ｄ変換器３から入力されたディジタルの中間周波数信号を復調してディジタルのオーディオ信号を生成し、この復調後のオーディオ信号をＡＦ  ＢＰＦ８へ出力する。
ＡＦ  ＢＰＦ８は、復調回路６から入力されたオーディオ信号に対して帯域ろ波を行い、このフィルタリング後のオーディオ信号をＤ／Ａ変換器９へ出力する。
Ｄ／Ａ変換器９は、ＡＦ  ＢＰＦ８から入力されたオーディオ信号をディジタル信号からアナログ信号へ変換し、これにより得られたアナログのオーディオ信号を出力する。
【０００７】
なお、従来技術の一例として、ゼロアイエフ（０−ｉＦ）検波方式と呼ばれる直接検波方式を用いた無線受信機における受信感度の低下を軽減し、局部発振信号の逆放射によって他の受信機へ与えてしまう妨害波を軽減する受信検波回路が検討されている（例えば、特許文献１参照。）。
【０００８】
【特許文献１】特開平６−６２０６３号公報
【発明の開示】
【発明が解決しようとする課題】
【０００９】
しかしながら、図２に示されるようなＳＳＢ無線受信機の回路では、妨害波等の不要信号を十分に減衰させることができる特性がアナログ回路であるＩＦ  ＢＰＦ１に要求されるため、ＩＦ  ＢＰＦ１ではその減衰特性以外の周波数特性や遅延特性や挿入損失特性が犠牲となり、全体的に見ると、良好な特性を有するフィルタの実現が困難であり或いは非常に高価であるといった問題があった。
本発明は、このような従来の事情に鑑み為されたもので、妨害波等の不要信号による感度抑圧を効果的に低減することができる受信機を提供することを目的とする。
【課題を解決するための手段】
【００１０】
上記目的を達成するため、本発明に係る受信機では、次のような構成により、受信信号を処理する。
すなわち、第１のフィルタ手段が、アナログ信号の受信信号をフィルタリングする。第１の増幅手段が、前記第１のフィルタ手段によりフィルタリングされたアナログ信号を可変な利得で増幅する。Ａ／Ｄ変換手段が、前記第１の増幅手段により増幅されたアナログ信号をディジタル信号へ変換する。第２のフィルタ手段が、前記Ａ／Ｄ変換手段により変換されたディジタル信号をフィルタリングする。復調手段が、前記第２のフィルタ手段によりフィルタリングされたディジタル信号を復調する。第２の増幅手段が、前記復調手段により復調されたディジタル信号を可変な利得で増幅する。
【００１１】
従って、複数段でフィルタリングを行うことにより、妨害波等の不要信号を効果的に低減することができ、また、複数段で増幅を行うことにより、所望信号の所望のレベルへの増幅を精度よく行うことができ、また、複数段でフィルタリングを行う構成と複数段で増幅を行う構成を組み合わせることにより、総じて、妨害波等の不要信号による感度抑圧の低減と所望信号の増幅を効果的に行うことができる。
また、アナログでのフィルタリング及び増幅と、ディジタルでのフィルタリング及び増幅を組み合わせることにより、フィルタリング及び増幅を効果的に行うことができる。
【００１２】
ここで、第１のフィルタ手段や第２のフィルタ手段としては、それぞれ、種々なものが用いられてもよく、例えば、帯域通過フィルタ（ＢＰＦ）を用いることができる。
また、第１の増幅手段や第２の増幅手段としては、それぞれ、種々なものが用いられてもよく、例えば、可変利得増幅器（ＶＧＡ）を用いることができる。
また、信号を可変な利得で増幅するための制御としては、例えば、自動利得制御（ＡＧＣ）により増幅後の信号のレベルが一定となるように利得を制御するような態様を用いることができる。
【発明の効果】
【００１３】
以上説明したように、本発明に係る受信機によると、受信信号をアナログ信号としてフィルタリング及び増幅し、その後、受信信号をディジタル信号としてフィルタリングし、復調し、増幅することにより、例えば、最終的に得られる所望信号のレベルを規定のレベルに精度よく制御しつつ、妨害波等の不要信号による感度抑圧を効果的に低減することができる。
【発明を実施するための最良の形態】
【００１４】
本発明に係る実施例を図面を参照して説明する。
図１には、本発明の一実施例に係るＳＳＢ無線受信機の構成例を示してある。
本例のＳＳＢ無線受信機は、アナログ回路として、中間周波数（ＩＦ：Ｉｎｔｅｒｍｅｄｉａｔｅ  Ｆｒｅｑｕｅｎｃｙ）の帯域通過フィルタ（ＢＰＦ：Ｂａｎｄ  Ｐａｓｓ  Ｆｉｌｔｅｒ）１と、可変利得増幅器（ＶＧＡ：Ｖａｒｉａｂｌｅ  Ｇａｉｎ  Ａｍｐｌｉｆｉｅｒ）２を備えており、アナログ信号をディジタル信号へ変換する回路としてＡ／Ｄ変換器（Ａｎａｌｏｇ  ｔｏ  Ｄｉｇｉｔａｌ  Ｃｏｎｖｅｒｔｅｒ）３を備えており、ディジタル回路として、検波器４と、中間周波数（ＩＦ）の帯域通過フィルタ（ＢＰＦ）５と、復調回路（ＤＥＭ：Ｄｅｍｏｄｕｌａｔｏｒ）６と、可聴周波（ＡＦ：Ａｕｄｉｏ  Ｆｒｅｑｕｅｎｃｙ）の可変利得増幅器（ＶＧＡ）７と、可聴周波（ＡＦ）の帯域通過フィルタ（ＢＰＦ）８を備えており、ディジタル信号をアナログ信号へ変換する回路としてＤ／Ａ変換器（Ｄｉｇｉｔａｌ  ｔｏ  Ａｎａｌｏｇ  Ｃｏｎｖｅｒｔｅｒ）９を備えている。
【００１５】
本例のＳＳＢ無線受信機において行われる動作の一例を示す。
まず、アンテナ（図示せず）により受信された高周波信号が周波数変換器（図示せず）により中間周波数（ＩＦ）の信号へ変換されて、ＩＦ  ＢＰＦ１に入力される。
ＩＦ  ＢＰＦ１は、入力された中間周波数信号に対して帯域ろ波を行い、このフィルタリング後の信号をＶＧＡ２へ出力する。
【００１６】
ＶＧＡ２は、検波器４から入力される利得制御信号により可変に制御される利得で、ＩＦ  ＢＰＦ１から入力された受信中間周波数信号を増幅することにより受信信号のレベル調整を行い、このレベル調整後の信号をＡ／Ｄ変換器３へ出力する。
Ａ／Ｄ変換器３は、ＶＧＡ２から入力された受信中間周波数信号をアナログ信号からディジタル信号へ変換して、検波器４及びＩＦ  ＢＰＦ５へ出力する。
検波器４は、Ａ／Ｄ変換器３から入力された信号を検波して当該信号のレベルを検出し、この検出結果に基づく利得制御信号をＶＧＡ２へ出力してＶＧＡ２の利得（Ｇａｉｎ）を制御する。
【００１７】
ＩＦ  ＢＰＦ５は、Ａ／Ｄ変換器３から入力された中間周波数信号に対して受信帯域制限を行って、所望の高周波信号とあわせて受信された妨害波等の不要信号を十分に減衰（除去）し、このフィルタリング後の信号を復調回路６へ出力する。
復調回路６は、ＩＦ  ＢＰＦ５から入力されたディジタルの中間周波数信号を復調してディジタルのオーディオ信号を生成し、この復調後のオーディオ信号をＡＦ  ＶＧＡ７へ出力する。
ＡＦ  ＶＧＡ７は、フィードバックにより入力される利得制御信号により可変に制御される利得で、復調回路６から入力されたディジタルのオーディオ信号を増幅することにより受信信号のレベル調整を行い、このレベル調整後の信号をＡＦ  ＢＰＦ８へ出力する。
【００１８】
ＡＦ  ＢＰＦ８は、ＡＦ  ＶＧＡ７から入力されたオーディオ信号に対して帯域ろ波を行い、このフィルタリング後のオーディオ信号をＤ／Ａ変換器９へ出力する。また、この出力信号は、ＡＦ  ＶＧＡ７へ利得制御信号として入力されてＡＦ  ＶＧＡ７の利得（Ｇａｉｎ）を制御する。
Ｄ／Ａ変換器９は、ＡＦ  ＢＰＦ８から入力されたオーディオ信号をディジタル信号からアナログ信号へ変換し、これにより得られたアナログのオーディオ信号を出力する。
【００１９】
ここで、本例では、ＶＧＡ２における増幅の利得や、ＡＦ  ＶＧＡ７における増幅の利得は、例えば、自動利得制御（ＡＧＣ：Ａｕｔｏｍａｔｉｃ  Ｇａｉｎ  Ｃｏｎｔｒｏｌ）を用いて制御され、増幅後の信号のレベルが設定された規定のレベルとなるように制御される。
また、本例のＳＳＢ無線受信機では、ＤＳＰ（Ｄｉｇｉｔａｌ  Ｓｉｇｎａｌ  Ｐｒｏｃｅｓｓｏｒ）上のソフトウェアを用いて、不要信号を除去して受信信号の帯域制限を行うＢＰＦ（本例では、ＩＦ  ＢＰＦ５）と、出力信号の出力レベルを調整するＡＧＣ回路（本例では、ＡＦ  ＶＧＡ７）を構成しており、妨害波等の不要信号の影響によって希望の受信信号の出力レベルが低下することがないようにしている。
【００２０】
本例のＳＳＢ無線受信機により行われる妨害波等の不要信号の除去について説明する。
ＳＳＢ無線受信機により受信される信号について、所望の受信中間周波数信号のほかに隣接する妨害波等が存在する場合には、その妨害波等も図１に示される回路に入力されてしまう。
図１に示される回路に入力された妨害波等は、まず、ＩＦ  ＢＰＦ１により減衰させられる。次に、ＶＧＡ２により所望波と妨害波等の２波が増幅され、その後、ＩＦ  ＢＰＦ５により妨害波等が完全に（実用上で有効な程度で完全に）減衰させられる。その後、妨害波等の影響によってＶＧＡ２では規定されたレベルに増幅することができなかった所望波が、ＡＦ  ＶＧＡ７により増幅されることで規定されたレベルの信号へ増幅される。そして、この増幅信号は、ＡＦ  ＢＰＦ８により帯域ろ波され、Ｄ／Ａ変換器９によりアナログのオーディオ信号へ変換されることで、規定されたレベルのアナログのオーディオ信号が出力される。
【００２１】
以上のように、本例のＳＳＢ無線受信機では、ＳＳＢ変調された高周波信号を受信して、受信信号を復調してオーディオ信号を出力するに際して、妨害波等の不要信号による感度抑圧を効果的に低減することができる。具体的には、例えば、実現が困難で高価なＩＦ  ＢＰＦ（本例では、図２に示される回路で要求されるような良好な特性を有するＩＦ  ＢＰＦ１）を用意することなく、妨害波等の不要信号による感度抑圧を低減することができる。
【００２２】
なお、本例のＳＳＢ無線受信機（受信機の一例）では、ＩＦ  ＢＰＦ１の機能により第１のフィルタ手段が構成されており、ＶＧＡ２の機能により第１の増幅手段が構成されており、Ａ／Ｄ変換器３の機能によりＡ／Ｄ変換手段が構成されており、ＩＦ  ＢＰＦ５の機能により第２のフィルタ手段が構成されており、復調回路６の機能により復調手段が構成されており、ＡＦ  ＶＧＡ７の機能により第２の増幅手段が構成されている。
【００２３】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００２４】
【図１】本発明の一実施例に係るＳＳＢ無線受信機の構成例を示す図である。
【図２】ＳＳＢ無線受信機の構成例を示す図である。
【符号の説明】
【００２５】
１、５、８・・帯域通過フィルタ（ＢＰＦ）、  ２、７・・可変利得増幅器（ＶＧＡ）、  ３・・Ａ／Ｄ変換器、  ４・・検波器、  ６・・復調回路（ＤＥＭ）、  ９・・Ｄ／Ａ変換器、
【図１】
2008271288.tif 000003
【図２】
2008271288.tif 000004